(57)【要約】  【課題】  プラグが備えられたケーブルの該プラグをジャックに挿入することで外部機器と接続することができるＡＶ機器において、構造が簡単で、組立（組付け）が簡単な部材を備えることで、プラグを挿入するときのジャックから基板に作用する力を低減することができ、ジャックの個数が筐体に配置可能な数である場合、ジャックの個数にかかわらず共通の部材を用いることで、構成部品点数を低減する。  【解決手段】  ジャックホルダ２は平面視凸型形状を有しており、ジャック１の後部１０と当接する押え部２１と、押え部２１の両端部には一体で連設され、押え部２１と直交する支持脚部２２と、支持脚部２２と一体で形成され、支持脚部２２と直交する固定部２３とを有している。【選択図】      図１
2006331827.tif 000002
【特許請求の範囲】
【請求項１】
外部機器と電気的に接続するケーブルの端部に取り付けられたプラグを挿入するための
複数のジャックと、前記複数のジャックの背面を押えるためのジャックホルダを有するＡ
Ｖ機器であって、
前記ジャックは直方体形状を有し、前記プラグが挿入される孔が前記ＡＶ機器の筐体の
開口部より外部に露出して横方向に並んで配置されており、
前記ジャックホルダは横方向並ぶ前記ジャックの背面と当接する押え部と、前記押え部
の両端部と一体に連接され、該押え部と直交する支持脚部と、前記支持脚部と一体で形成
され、該支持脚部と直交する固定部とを有し、
前記固定部にはボルトが貫通するボルト孔が備えられており、並んで配置されている前
記複数のジャックの背面より、前記押え部が前記ジャックの背面と当接するように配置し
、ボルトを前記固定部のボルト孔に貫通させ、ナットと螺合することで、前記ジャックを
保持することを特徴とするＡＶ機器。
【請求項２】
外部機器と電気的に接続するケーブルの端部に取り付けられたプラグを挿入するための
複数のジャックと、前記複数のジャックの背面を押えるためのジャックホルダを有するＡ
Ｖ機器であって、
前記ジャックは直方体形状を有し、前記プラグが挿入される孔が前記ＡＶ機器の筐体の
開口部より外部に露出して横方向に並んで配置されており、
前記ジャックホルダは前記ジャックの背面と当接する押え部と、前記押え部の両端部と
一体に連接され、該押え部と直交する支持脚部と、前記支持脚部と一体で形成され、該支
持脚部と直交する固定部とを有し、
前記固定部にはボルトが貫通するボルト孔が備えられており、並んで配置されている前
記複数のジャックの背面より、前記押え部が前記ジャックの背面と当接するように配置し
、ボルトを前記固定部のボルト孔に貫通させ、ナットと螺合することで、前記ジャックを
保持することを特徴とするＡＶ機器。
【請求項３】
前記ＡＶ機器の筐体には前記固定部が摺動することで係合される係合部が形成されてお
り、押え部の両端に備えられる固定部のうち少なくとも一方が係合部と係合することで固
定されることを特徴とする請求項２に記載のＡＶ機器。
【請求項４】
前記ジャックホルダは前記係合部と係合する部分に貫通孔を有しており、該貫通孔を係
合部が貫通することで回動可能になるように形成されていることを特徴とする請求項３に
記載のＡＶ機器。
【請求項５】
前記ジャックホルダは前記ＡＶ機器の筐体にあわせた形状を有しており、前記ジャック
ホルダが支持することができる個数以下のジャックを保持できることを特徴とする請求項
２から請求項４のいずれかに記載のＡＶ機器。
【発明の詳細な説明】
【技術分野】
【０００１】
本発明は、ＲＣＡプラグ、Ｓ端子プラグ、イヤホンプラグ等のプラグを挿入するジャッ
クを保持するジャックホルダを備えるＡＶ機器に関するものである。
【背景技術】
【０００２】
従来、ＴＶやＶＴＲ等のＡＶ機器は外部の機器と電気的に接続する場合、前記ＡＶ機器
に設けられたジャック（例えば、ＲＣＡジャック、Ｓ端子ジャック、イヤホンジャック等
）に該ジャックに対応したプラグを挿入することで行われる。前記ジャックは前記ＡＶ機
器に複数個取り付けられている。
【０００３】
また、前記ジャックは前記ＡＶ機器の内部に設けられた基板上に実装されるものであり
、前記ジャックに前記プラグを挿入したり、前記ジャックから前記プラグを引き抜いたり
するときには、前記ジャックに大きな力が加わる。
【０００４】
前記プラグを前記ジャックに挿入したり、前記ジャックより引き抜いたりするときに該
ジャックと前記基板の接続部にかかる力を低減するために、前記複数のジャックは１つず
つ前記ＡＶ機器の筐体にボルト留めにて固定される。
【０００５】
また、実開平５−３６７８０号公報に記載の考案では、プリント基板上の複数個のピン
ジャックを同時にカバーへ挿入し、ピンジャック間の取付間隔のばらつきに影響されず、
容易に取り付けられるピンジャック取付構造を示している。
【特許文献１】実開平５−３６７８０号公報
【発明の開示】
【発明が解決しようとする課題】
【０００６】
しかしながら、近年の前記複数のピンジャックを１つずつ前記ＡＶ機器の筐体にボルト
留めにて固定する場合、前記ピンジャックそれぞれに少なくとも１本のボルトが必要とな
り、ＡＶ機器の構成部材が多くなる。
【０００７】
また、ボルトを１つずつ工具で締めていかなくてはならず、工程が非常に多くなり、組
み立てに多くの時間と手間がかかり、それだけ、コストがかかる。
【０００８】
そこで本発明は、プラグが備えられたケーブルの該プラグをジャックに挿入することで
外部機器と接続することができるＡＶ機器において、構造が簡単で、組立（組付け）が簡
単な部材を備えることで、プラグを挿入するときのジャックから基板に作用する力を低減
することを目的とする。
【０００９】
また本発明は、プラグが備えられたケーブルの該プラグをジャックに挿入することで外
部機器と接続することができるＡＶ機器において、ジャックの個数が筐体に配置可能な数
である場合、ジャックの個数にかかわらず共通の部材を用いることで、構成部品点数を低
減することを目的とする。
【課題を解決するための手段】
【００１０】
上記目的を達成するために本発明は、外部機器と電気的に接続するケーブルの端部に取
り付けられたプラグを挿入するための複数のジャックと、前記複数のジャックの背面を押
えるためのジャックホルダを有するＡＶ機器であって、前記ジャックは直方体形状を有し
、前記プラグが挿入される孔が前記ＡＶ機器の筐体の開口部より外部に露出して横方向に
並んで配置されており、前記ジャックホルダは横方向並ぶ前記ジャックの背面と当接する
押え部と、前記押え部の両端部と一体に連接され、該押え部と直交する支持脚部と、前記
支持脚部と一体で形成され、該支持脚部と直交する固定部とを有し、前記固定部にはボル
トが貫通するボルト孔が備えられており、並んで配置されている前記複数のジャックの背
面より、前記押え部が前記ジャックの背面と当接するように配置し、ボルトを前記固定部
のボルト孔に貫通させ、ナットと螺合することで、前記ジャックを保持することを特徴と
する。
【００１１】
この構成によると、並んで配置される前記複数のジャックを前記ジャックホルダ１つで
保持するので、該複数のジャックそれぞれを個別にＡＶ機器の筐体に固定するための部材
（例えばボルト）を省略することができ、それだけ、構成部品点数を減らすことができる
。構成部品点数を減らすことで、組立（組付け）に必要な時間及び手間も低減することが
できる。
【００１２】
外部機器と電気的に接続するケーブルの端部に取り付けられたプラグを挿入するための
複数のジャックと、前記複数のジャックの背面を押えるためのジャックホルダを有するＡ
Ｖ機器であって、前記ジャックは直方体形状を有し、前記プラグが挿入される孔が前記Ａ
Ｖ機器の筐体の開口部より外部に露出して横方向に並んで配置されており、前記ジャック
ホルダは前記ジャックの背面と当接する押え部と、前記押え部の両端部と一体に連接され
、該押え部と直交する支持脚部と、前記支持脚部と一体で形成され、該支持脚部と直交す
る固定部とを有し、前記固定部にはボルトが貫通するボルト孔が備えられており、並んで
配置されている前記複数のジャックの背面より、前記押え部が前記ジャックの背面と当接
するように配置し、ボルトを前記固定部のボルト孔に貫通させ、ナットと螺合することで
、前記ジャックを保持することを特徴とする。
【００１３】
この構成によると、並んで配置される前記複数のジャックを前記ジャックホルダ１つで
保持するので、該複数のジャックそれぞれを個別にＡＶ機器の筐体に固定するための部材
（例えばボルト）を省略することができ、それだけ、構成部品点数を減らすことができる
。構成部品点数を減らすことで、組立（組付け）に必要な時間及び手間も低減することが
できる。
【００１４】
前記ジャックの配置は一方向に並んで配置されるものに限定されず、２列又は３列等の
複数列に配置されるジャックも、１つのジャックホルダを利用することで、保持すること
ができ、部品点数を省略することができ、すなわち、組立（組付け）に必要な時間及び手
間を低減することができる。
【００１５】
上記構成において、前記ＡＶ機器の筐体には前記固定部が摺動することで係合される係
合部が形成されており、押え部の両端に備えられる固定部のうち少なくとも一方が係合部
と係合することで固定されるものであってもよく、前記固定部の前記係合部と係合する部
分に貫通孔を備え、該貫通孔を係合部が貫通することで回動可能になるように形成されて
いてもよい。
【００１６】
前記ＡＶ機器の筐体に係合部が形成されていることで、摺動によりジャックホルダを配
置することができ、該ジャックホルダを前記筐体に固定するための部材（ボルト等）を省
略することができる。
【００１７】
前記ジャックホルダが回動可能に取り付けられることで、該ジャックホルダを予め前記
筐体に回動可能に取り付けておき、前記筐体の開口部に前記ジャックを配置した後、該ジ
ャックホルダを回動させて該ジャックの背面を保持することができる。このことは、前記
ジャック、ジャックホルダの取付順序を任意に変えることができ、それだけ、製造工程の
自由度が高くなる。また、メンテナンスを行うときなどに、前記ジャックホルダを取り外
さなくてもよく、紛失、破損等の不具合の発生を低減することが可能である。
【００１８】
上記構成において、前記ジャックホルダは前記ＡＶ機器の筐体にあわせた形状を有して
おり、前記ジャックホルダが支持することができる個数以下のジャックを保持できるもの
であってもよい。
【００１９】
これによると、１つの筐体に複数のＡＶ機器を組付ける場合であり、ジャックの個数が
変化しても、共通のジャックホルダを利用してジャックを保持することができるので、部
品点数を低減することができる。また、同一の筐体に対しては１つのジャックホルダを用
意すればよく、効率が良い。
【発明の効果】
【００２０】
本発明によると、プラグが備えられたケーブルの該プラグをジャックに挿入することで
外部機器と接続することができるＡＶ機器において、構造が簡単で、組立（組付け）が簡
単な部材を備えることで、プラグを挿入するときのジャックから基板に作用する力を低減
することができる。
【００２１】
また本発明によると、プラグが備えられたケーブルの該プラグをジャックに挿入するこ
とで外部機器と接続することができるＡＶ機器において、ジャックの個数にかかわらず共
通の部材を用いることで、構成部品点数を低減することができる。
【発明を実施するための最良の形態】
【００２２】
以下に本発明の実施形態を図面を参照して説明する。図１に本発明にかかるＡＶ機器の
ジャック部での平断面図を、図２に図１に示すＡＶ機器のジャック部での側断面図を示す
。図１又は図２に示すＡＶ機器Ａは、筐体３と、内部に配置された基板Ｍｂと、基板Ｍｂ
に取り付けられるジャック１とを有している。ジャック１は接続ケーブルのプラグＰｇを
挿入しＡＶ機器と外部電子機器（例えば、ＶＴＲ、液晶モニター等）とを接続するもので
ある。
【００２３】
ジャック１は直方体形状の本体部１１と、プラグＰｇを挿入するためのプラグ挿入部１
２とを有している。ジャック１は下面に端子を有しており（不図示）、端子を基板Ｍｂに
設けられたスルーホールに挿入し、スルーホールから突出した端子をはんだ付けすること
で、基板Ｍｂ上に形成された配線パターン（不図示）と電気的に接続されている。
【００２４】
筐体３の背面には開口部３０が形成されており、開口部３０にはジャック１のプラグ挿
入部１２が配置される。また、ジャック１は図１に示すように並んで配置されるものであ
り、ジャック１の本体部１１の後部１０（換言すると、プラグ挿入部１２の反対側）と当
接してジャックホルダ２が取り付けられている。
【００２５】
図３（Ａ）にジャックホルダの平面図を、図３（Ｂ）にジャックホルダの側面を示す。
ジャックホルダ２は平面視凸型形状を有しており、ジャック１の後部１０と当接する押え
部２１と、押え部２１の両端部には一体で連設され、押え部２１と直交する支持脚部２２
と、支持脚部２２と一体で形成され、支持脚部２２と直交する固定部２３とを有している
。
【００２６】
固定部２３には筐体３とねじ留めのためのボルトＢｔが挿入されるボルト孔２３１を有
しており、筐体３に設けられているボルト孔３１と重ね合わせ、ボルト孔２３１側からボ
ルトＢｔを貫通し、ボルト孔３１から突出したボルトＢｔとナットＮｔとを螺合すること
で、ジャックホルダ２を筐体３に固定することができる。
【００２７】
図１に示すようにジャックホルダ２は、押え部２１が４個のジャック１の後部と当接す
ると共に、並んだジャック１の両端部に支持脚部２２が配置される形状で形成されている
。ジャック１のプラグ挿入部１２にプラグＰｇを挿入するとき、ジャック１にプラグ挿入
方向（図中矢線ａｒ１）に力が作用する。ジャック１に力が作用すると、ジャック１に形
成された端子に力が伝播し基板Ｍｂに負荷がかかる。
【００２８】
図２に示すように、ジャックホルダ２が取り付けられていることでジャック１の後部が
ジャックホルダ２によって押えられているので、プラグＰｇを挿入するときにジャック１
に作用するプラグ挿入方向（ａｒ１）の力をジャックホルダ２が受けるので、基板Ｍｂへ
伝播する力を低減することができ、基板Ｍｂとジャック１が外れたり、基板Ｍｂが破損し
たりする等の不具合の発生を低減することができる。
【００２９】
図４に本発明にかかるＡＶ機器の平断面図を示す。図４に示すように、筐体３にジャッ
クホルダ２の固定部２３を係合するための係合部３２が形成されている。係合部３２は屈
曲する係合爪３２１を有しており、ジャックホルダ２をプラグＰｇ挿入方向及びジャック
ホルダ２の配列方向に対して直交する方向に摺動させることで、固定部２３と係合爪３２
１とを係合することができる。これにより、プラグ挿入方向（ａｒ１）にジャックホルダ
に力が作用しても、係合爪３２１が固定部２３と係合しているので、基板Ｍｂに力が作用
するのを抑制することができる。
【００３０】
図４に示すジャックホルダ２では両方の固定部２３を係合爪３２１で係合するものを例
示しているが、それに限定されるものではなく、少なくとも一方が、係合爪３２１で係合
されるものであっても良い。このとき、固定部２３の係合爪３２１と当接する部分に貫通
孔を形成しておき、ジャックホルダ２が回動するように形成されているものであってもよ
い。ジャックホルダ２が回動することで、ジャックホルダ２を予め筐体３に取り付けてお
き、開口部３０にジャック１を配置した後、ジャックホルダ２の押え部２１がジャック１
の背面と当接するように配置してボルトＢｔにて留めることで取り付けることもできる。
【００３１】
上述の実施例では４個のジャックが横に並んで配置されているものを支持ずるジャック
ホルダを有するＡＶ機器を示しているが、それに限定されるものではなく、縦横両方に並
んで配置されるものであっても良い。
【００３２】
また、筐体の開口部３０にあわせてジャックホルダ２を形成しておき、筐体３に形成さ
れている開口部３０に配置することができる個数以下のジャック１を配置する場合、ジャ
ック１の個数にかかわらず開口部３０に併せて形成されたジャックホルダ２を利用するこ
とができ、部材の共通化を行うことができるのでそれだけ、製造コストを低減することが
できる。
【００３３】
また、上記実施例ではジャックホルダを備えたＡＶ機器としてＶＴＲを例示しているが
、それに限定されるものではなく、ＴＶ、ＤＶＤプレーヤ、ＣＤプレーヤ等ジャックを備
えたＡＶ機器に広く採用することができる。
【００３４】
上記実施例で示したジャックホルダはＡＶ機器の正面、背面及び（又は）側面に設けら
れたジャックを保持するジャックホルダに採用してもよい。
【図面の簡単な説明】
【００３５】
【図１】本発明にかかるＡＶ機器のジャック部での平断面図である。
【図２】図１に示すＡＶ機器のジャック部での側断面図である。
【図３】図（Ａ）はジャックホルダの平面図であり、図（Ｂ）はジャックホルダの側面図である。
【図４】本発明にかかるＡＶ機器の平断面図である。
【符号の説明】
【００３６】
１  ジャック
１１  本体部
１２  プラグ挿入部
２  ジャックホルダ
２１  押え部
２２  支持脚部
２３  固定部
２３１  ボルト孔
３  筐体
３０  開口部
３１  ボルト孔
３２  係合部
３２１  係合爪
【図１】
2006331827.tif 000003
【図２】
2006331827.tif 000004
【図３】
2006331827.tif 000005
【図４】
2006331827.tif 000006